(57)【要約】【課題】ネットワークへの再接続を容易に行うとともに、複数のグループに区分された複数のユーザそれぞれを、自己の属する作業グループに容易に属させることができるモバイルサーバ通信システムを提供する。【解決手段】ウェアラブル端末１００は、任意のユーザによって使用が開始されるとき、開始されるユーザのユーザ識別情報を取得する識別情報取得部１１０と、ウェアラブル端末１００を識別するサーバ識別子とユーザ識別情報とを、管理サーバ２００に送信する識別情報送信部１３０と、を備える。また、ウェアラブル端末１００は、管理サーバ２００からユーザが属する作業グループの属性が設定された設定情報を受信する設定情報受信部１４０と、受信された設定情報に基づいて、作業グループに属する他のモバイルサーバと通信を開始する通信開始部１５０と、を備える。【選択図】      図１
2010157845.tif 000002
【特許請求の範囲】
【請求項１】
複数のグループに区分されている複数のユーザに対して任意に使用されるモバイルサーバと、複数の前記モバイルサーバを管理する管理サーバとが通信可能なモバイルサーバ通信システムであって、
前記モバイルサーバは、
任意の前記ユーザによって使用が開始されるとき、開始される前記ユーザのユーザ識別情報を取得する識別情報取得手段と、
自機を識別するサーバ識別子と前記ユーザ識別情報とを、ネットワークを介して前記管理サーバに送信する識別情報送信手段と、
前記管理サーバから前記ユーザが属する作業グループの属性が設定された設定情報を受信する設定情報受信手段と、
受信された前記設定情報に基づいて、前記作業グループに属する他のモバイルサーバと通信を開始する通信開始手段と、を備え、
前記管理サーバは、
前記モバイルサーバから送信された前記サーバ識別子と前記ユーザ識別情報とを受信する情報受信手段と、
受信された前記ユーザ識別情報により個人認証を行う個人認証手段と、
前記個人認証の結果に基づいて、前記ユーザが属する前記作業グループを特定するグループ特定手段と、
前記識別情報送信手段によって送信されて特定された前記作業グループの属性が設定された前記設定情報を前記モバイルサーバに送信する情報送信手段と、
を備えることを特徴とするモバイルサーバ通信システム。
【請求項２】
前記識別情報送信手段は、
所定条件によって前記サーバ識別子と前記ユーザ識別情報とを前記管理サーバに送信する
ことを特徴とする請求項１に記載のモバイルサーバ通信システム。
【請求項３】
前記識別情報送信手段は、
定期的もしくは、所定条件により前記サーバ識別子と前記ユーザ識別情報とを前記管理サーバに送信し、
開始された前記ユーザが他のユーザと交代するとき、交代される当該他のユーザのユーザ識別情報と前記サーバ識別情報とを前記管理サーバに送信する
ことを特徴とする請求項１または２に記載のモバイルサーバ通信システム。
【請求項４】
前記通信開始手段は、
前記設定情報受信手段によって受信された前記設定情報に基づいて、前記作業グループ内の前記他のモバイルサーバとの音声通話を管轄する音声配信サーバ、または、前記設定情報受信手段によって受信された前記設定情報に基づいて、前記自機が取得する映像の映像配信を管轄する映像配信サーバの少なくとも一方と通信を開始する
ことを特徴とする請求項１ないし３の何れか１項に記載のモバイルサーバ通信システム。
【請求項５】
前記通信開始手段は、
音声配信プロトコルによって、前記自機が属する前記作業グループと同一の作業グループに属するモバイルサーバと、音声通話を管轄する音声配信サーバを経由して通信を開始する、または、映像配信プロトコルによって、映像配信を管轄する映像配信サーバを経由して通信を開始する
ことを特徴とする請求項１ないし４の何れか１項に記載のモバイルサーバ通信システム。
【請求項６】
前記モバイルサーバは、
前記自機の現在位置を測位する現在位置測位手段と、
前記現在位置測位手段によって測位された前記自機の現在位置を、前記ユーザの現在位置として前記管理サーバに送信する位置情報送信手段と、を更に備え、
前記管理サーバは、
前記位置情報送信手段によって送信された前記モバイルサーバの前記現在位置を受信する位置情報受信手段と、
前記位置情報受信手段によって受信された前記現在位置を、視覚可能に出力する位置情報出力手段と、
を更に備えることを特徴とする請求項１ないし５の何れか１項に記載のモバイルサーバ通信システム。
【請求項７】
前記モバイルサーバは、
前記ユーザの衣服、保護帽、身体の周囲または移動体に付帯される
ことを特徴とする請求項１ないし６の何れか１項に記載のモバイルサーバ通信システム。
【請求項８】
複数のグループに区分されている複数のユーザに対して任意に使用されるモバイルサーバと、複数の前記モバイルサーバを管理する管理サーバとが通信可能なモバイルサーバ通信システムのモバイルサーバ通信方法であって、
前記モバイルサーバが、任意の前記ユーザによって使用が開始されるとき、開始される前記ユーザのユーザ識別情報を取得する識別情報取得ステップと、
前記モバイルサーバが、自機を識別するサーバ識別子と前記ユーザ識別情報とを、ネットワークを介して前記管理サーバに送信する識別情報送信ステップと、
前記管理サーバが、前記モバイルサーバから送信された前記サーバ識別子と前記ユーザ識別情報とを受信する情報受信ステップと、
前記管理サーバが、受信された前記ユーザ識別情報により個人認証を行う個人認証ステップと、
前記管理サーバが、前記個人認証の結果に基づいて、前記ユーザが属する前記作業グループを特定するグループ特定ステップと、
前記管理サーバが、前記識別情報送信ステップにおいて送信されて特定された前記作業グループの属性が設定された設定情報を前記モバイルサーバに送信する情報送信ステップと、
前記モバイルサーバが、前記管理サーバから前記ユーザが属する作業グループの属性が設定された前記設定情報を受信する設定情報受信ステップと、
前記モバイルサーバが、受信された前記設定情報に基づいて、前記作業グループに属する他のモバイルサーバと通信を開始する通信開始ステップと、
を含むことを特徴とするモバイルサーバ通信方法。
【発明の詳細な説明】
【技術分野】
【０００１】
本発明は、モバイルサーバ通信システム、モバイルサーバ通信方法に関する。
【背景技術】
【０００２】
移動端末の移動体通信システムに関するものとして、例えば特許文献１に記載されたものがある。特許文献１に記載された移動体通信システムは、移動端末と、ネットワーク装置とを備えている。この特許文献１に記載されたネットワーク装置は、移動端末の移動状態を検出する検出手段と、検出手段による検出結果を基に移動端末が接続可能なアクセスシステムを、設定された条件から選択する選択手段とを備えている。
【特許文献１】特開２００７−１８９２７３号公報
【発明の開示】
【発明が解決しようとする課題】
【０００３】
しかしながら、特許文献１に記載された移動体通信システムに関する技術は、以下の点で改善の余地を有していた。すなわち、特許文献１に記載されたネットワーク装置は、移動端末が接続可能なアクセスシステムを、移動端末の移動状態によって検出して、設定された条件で選択していた。
【０００４】
この場合、特許文献１に記載された移動体通信システムでは、ネットワーク装置が移動端末の移動状態を監視しているので、移動端末が接続できないことを検知すると、ネットワーク装置が定期的かつ継続的に接続状況を監視しなければならなかった。
【０００５】
また、ネットワーク装置は、接続できない移動端末が次にいつ接続可能な状態になるのか分からないため、仮に接続できない移動端末の電波状態が復旧したとしても、ネットワーク装置の監視タイミングでしか復旧を検知することができなかった。
【０００６】
更に、ネットワーク装置には通常では複数の移動端末が接続されているので、接続することができない移動端末を監視すると、その移動端末の状態によらず監視しなければならないので、ネットワーク装置に一層負荷がかかっていた。
【０００７】
本発明は上記事情に鑑みてなされたものであり、その目的とするところは、ネットワークへの再接続を容易に行うとともに、複数のグループに区分された複数のユーザそれぞれを、自己の属する作業グループに容易に属させることができるモバイルサーバ通信システムおよびモバイルサーバ通信方法を提供することにある。
【課題を解決するための手段】
【０００８】
本発明によれば、複数のグループに区分されている複数のユーザに対して任意に使用されるモバイルサーバと、複数の前記モバイルサーバを管理する管理サーバとが通信可能なモバイルサーバ通信システムであって、
前記モバイルサーバは、
任意の前記ユーザによって使用が開始されるとき、開始される前記ユーザのユーザ識別情報を取得する識別情報取得手段と、
自機を識別するサーバ識別子と前記ユーザ識別情報とを、ネットワークを介して前記管理サーバに送信する識別情報送信手段と、
前記管理サーバから前記ユーザが属する作業グループの属性が設定された設定情報を受信する設定情報受信手段と、
受信された前記設定情報に基づいて、前記作業グループに属する他のモバイルサーバと通信を開始する通信開始手段と、を備え、
前記管理サーバは、
前記モバイルサーバから送信された前記サーバ識別子と前記ユーザ識別情報とを受信する情報受信手段と、
受信された前記ユーザ識別情報により個人認証を行う個人認証手段と、
前記個人認証の結果に基づいて、前記ユーザが属する前記作業グループを特定するグループ特定手段と、
前記識別情報送信手段によって送信されて特定された前記作業グループの属性が設定された前記設定情報を前記モバイルサーバに送信する情報送信手段と、
を備えることを特徴とするモバイルサーバ通信システムが提供される。
【０００９】
さらに本発明によれば、複数のグループに区分されている複数のユーザに対して任意に使用されるモバイルサーバと、複数の前記モバイルサーバを管理する管理サーバとが通信可能なモバイルサーバ通信システムのモバイルサーバ通信方法であって、
前記モバイルサーバが、任意の前記ユーザによって使用が開始されるとき、開始される前記ユーザのユーザ識別情報を取得する識別情報取得ステップと、
前記モバイルサーバが、自機を識別するサーバ識別子と前記ユーザ識別情報とを、ネットワークを介して前記管理サーバに送信する識別情報送信ステップと、
前記管理サーバが、前記モバイルサーバから送信された前記サーバ識別子と前記ユーザ識別情報とを受信する情報受信ステップと、
前記管理サーバが、受信された前記ユーザ識別情報により個人認証を行う個人認証ステップと、
前記管理サーバが、前記個人認証の結果に基づいて、前記ユーザが属する前記作業グループを特定するグループ特定ステップと、
前記管理サーバが、前記識別情報送信ステップにおいて送信されて特定された前記作業グループの属性が設定された設定情報を前記モバイルサーバに送信する情報送信ステップと、
前記モバイルサーバが、前記管理サーバから前記ユーザが属する作業グループの属性が設定された前記設定情報を受信する設定情報受信ステップと、
前記モバイルサーバが、受信された前記設定情報に基づいて、前記作業グループに属する他のモバイルサーバと通信を開始する通信開始ステップと、
を含むことを特徴とするモバイルサーバ通信方法が提供される。
【００１０】
なお、以上の構成要素の任意の組合せ、本発明の表現を方法、装置、システムなどの間で変換したものもまた、本発明の態様として有効である。
【発明の効果】
【００１１】
本発明によれば、ネットワークへの再接続を容易に行うとともに、複数のグループに区分された複数のユーザそれぞれを、自己の属する作業グループに容易に属させることができるモバイルサーバ通信システムおよびモバイルサーバ通信システムが提供される。
【発明を実施するための最良の形態】
【００１２】
（第１の実施の形態）
以下、本発明の実施の形態について、図面を用いて説明する。尚、すべての図面において、同様な構成要素には同様の符号を付し、適宜説明を省略する。
【００１３】
図１は、本実施の形態に係るウェアラブル端末（モバイルサーバ）１００の機能の概略構成を示した機能ブロック図である。
【００１４】
図１に示すウェアラブル端末１００は、任意のユーザによって使用が開始されるとき、開始されるユーザのユーザ識別情報を取得する識別情報取得部１１０と、ウェアラブル端末１００を識別するサーバ識別子とユーザ識別情報とを、備えている。
【００１５】
また、ウェアラブル端末１００は、管理サーバ２００に送信する識別情報送信部１３０と、管理サーバ２００からユーザが属する作業グループの属性が設定された設定情報を受信する設定情報受信部１４０と、を備えている。
【００１６】
また、ウェアラブル端末１００は、受信された設定情報に基づいて、作業グループに属する他のモバイルサーバと通信を開始する通信開始部１５０を備えている。
【００１７】
識別情報取得部１１０は、任意のユーザによって使用が開始されるとき、開始されるユーザのユーザ識別情報を取得する。
【００１８】
ここで、ユーザ識別情報とは、例えば、生体認証や赤外線ＩＤ（identification）を用いて、ユーザ個人を識別し特定することができる識別情報である。生体認証とは、指紋認証、声紋認証および顔認証などにより個人認証を行うものである。また、赤外線ＩＤとは、社員証などのユニークなＩＤに赤外線送信器を用いて照射し、個人を特定する個人ＩＤである。
【００１９】
識別情報送信部１３０は、ウェアラブル端末１００を識別するサーバ識別子とユーザ識別情報とを、管理サーバ２００に送信する。
【００２０】
設定情報受信部１４０は、管理サーバ２００からユーザが属する作業グループの属性が設定された設定情報を受信する。
【００２１】
通信開始部１５０は、受信された設定情報に基づいて、作業グループに属する他のウェアラブル端末と、例えば、後述する音声配信サーバを経由して通信を開始する。なお、通信開始部１５０は、後述する音声配信サーバを経由する場合には、音声情報を出力し、映像配信サーバを経由する場合には、映像情報を出力する。
【００２２】
また、サーバ識別子格納部１２０は、ウェアラブル端末１００を識別するサーバ識別子を格納している。
【００２３】
このように、本実施の形態におけるウェアラブル端末１００は、識別情報取得部１１０と、識別情報送信部１３０と、設定情報受信部１４０と、通信開始部１５０とを備えることにより、モバイルサーバ通信システム５００を実現することができる。
【００２４】
また、ウェアラブル端末１００は、自機の現在位置を測位する現在位置測位部１６０を更に備えることができる。また、ウェアラブル端末１００は、現在位置測位部１６０によって測位された自機の現在位置を、ユーザの現在位置情報（現在位置）として管理サーバ２００に送信する位置情報送信部１７０を更に備えることができる。
【００２５】
現在位置測位部１６０は、自機の現在位置情報を測位する。
【００２６】
位置情報送信部１７０は、現在位置測位部１６０によって測位された自機の現在位置情報を、ユーザの現在位置情報として管理サーバ２００に送信する。
【００２７】
本実施の形態では、このような機能を備えたウェアラブル端末１００を用いても、モバイルサーバ通信システム５００を形成することができる。
【００２８】
図２は、ウェアラブル端末（モバイルサーバ）１００を用いたモバイルサーバ通信システム５００を示した概略構成図である。図２に示すモバイルサーバ通信システム５００は、ウェアラブル端末１００と、管理サーバ２００と、ネットワーク３００とを備えている。
【００２９】
モバイルサーバ通信システム５００は、ウェアラブル端末１００と、複数のウェアラブル端末１００を管理する管理サーバ２００とがネットワーク３００を介して、通信可能に接続されている。
【００３０】
なお、ウェアラブル端末１００は、本実施の形態では、複数のグループに区分されている複数のユーザに対して任意に使用されるようになっている。
【００３１】
図３は、図２に示した管理サーバ２００の機能を模式的に示した機能ブロック図である。
【００３２】
図３に示す管理サーバ２００は、ウェアラブル端末１００から送信されたサーバ識別子とユーザ識別情報とを受信する情報受信部２１０と、受信されたユーザ識別情報により個人認証を行う個人認証部２２０とを備えている。
【００３３】
また、管理サーバ２００は、個人認証の結果に基づいて、ユーザが属する作業グループを特定するグループ特定部２３０を備えている。また、管理サーバ２００は、ウェアラブル端末１００（図１）の識別情報送信部１３０によって送信されて特定された作業グループの属性が設定された設定情報を、ウェアラブル端末１００に送信する情報送信部２４０を備えている。
【００３４】
情報受信部２１０は、ウェアラブル端末１００から送信されたサーバ識別子とユーザ識別情報とを受信する。
【００３５】
個人認証部２２０は、情報受信部２１０によって受信されたユーザ識別情報により個人認証を行う。
【００３６】
グループ特定部２３０は、個人認証の結果に基づいて、ユーザが属する作業グループを特定する。
【００３７】
情報送信部２４０は、ウェアラブル端末１００の位置情報送信部１７０によって送信されて特定された作業グループの属性が設定された設定情報を、ウェアラブル端末１００に送信する。
【００３８】
このように、本実施の形態における管理サーバ２００は、情報受信部２１０と、個人認証部２２０と、グループ特定部２３０と、情報送信部２４０とを備えることにより、モバイルサーバ通信システム５００を実現することができる。
【００３９】
また、管理サーバ２００は、位置情報送信部１７０によって送信されたウェアラブル端末１００の現在位置情報を受信する位置情報受信部２５０を備えることができる。また、管理サーバ２００は、位置情報受信部２５０によって受信された現在位置情報を、視覚可能に出力する位置情報出力部２６０を備えることもできる。
【００４０】
位置情報受信部２５０は、位置情報送信部１７０によって送信されたウェアラブル端末１００の現在位置情報を受信する。
【００４１】
位置情報出力部２６０は、位置情報受信部２５０によって受信された現在位置情報を視覚可能に出力する。
【００４２】
具体的には、位置情報出力部２６０は、ユーザの現在位置情報を視覚可能に表示する表示部であってもよく、また外部の情報処理装置にユーザの現在位置を表示するための現在位置情報を出力する形態であってもよい。
【００４３】
本実施の形態では、このような機能を備えた管理サーバ２００を用いても、モバイルサーバ通信システム５００を形成することができる。
【００４４】
図４は、ウェアラブル端末１００の物理的な機能を示したハードウェアブロック図である。図４に示すウェアラブル端末１００は、携帯通信網に通信接続するモバイル通信インターフェース部１０１と、ＬＡＮ（Local Area Network）に通信接続する無線／有線ＬＡＮインターフェース部１０２とを備えている。
【００４５】
また、ウェアラブル端末１００は、ウェアラブル端末１００の現在位置を測位する位置情報測位部１０３と、外部映像を取得するカメラ機能部１０４と、外部音声を取得する音声機能部１９０とを備えている。また、ウェアラブル端末１００は、全体を統括制御するＣＰＵ（Central Processing unit）１０５と、基本プログラムや各種アプリケーションプログラムが格納されたＲＯＭ（Read Only Memory）１０６を備えている。
【００４６】
また、ウェアラブル端末１００は、作業領域や記憶領域として記憶可能なＲＡＭ（Random Access Memory）１０７と、ユーザ固有の識別子を通信により取得する赤外線通信部１０８とを備えている。また、ウェアラブル端末１００は、ＣＰＵ１０５に接続されたバス１０９を介して、図４に示した構成要素が相互に接続されている。
【００４７】
なお、本実施の形態では、ウェアラブル端末１００は、ヘルメット型のモバイルサーバによって形成されている。ここで、このヘルメットは、モバイルサーバであるウェアラブル端末１００を装着可能な形態である。そして、本実施の形態では、複数のユーザのそれぞれが有する各ヘルメットに、ウェアラブル端末１００を取り替え可能に装着することができるようになっている。
【００４８】
図５は、管理サーバ２００の物理的な機能を示したハードウェアブロック図である。図５に示す管理サーバ２００は、ウェアラブル端末１００から送信される現在位置情報や外部映像を、データとして格納するデータ格納部２０３と、他の管理サーバと接続するネットワークインターフェース部２０４とを備えている。また、管理サーバ２００は、全体を統括制御するＣＰＵ２０５と、基本プログラムや各種アプリケーションプログラムが格納されたＲＯＭ２０６を備えている。
【００４９】
また、管理サーバ２００は、作業領域や記憶領域として記憶可能なＲＡＭ２０７とを備えている。また、管理サーバ２００は、複数のグループに区分されている複数のユーザに対して、ウェアラブル端末１００が使用されている状況を示したシステム管理データベース２０８を備えている。また、管理サーバ２００は、ＣＰＵ２０５に接続されたバス２０９を介して、図５に示した構成要素が相互に接続されている。
【００５０】
図６は、システム管理データベース２０８に格納されたシステム管理テーブルの一例を示した図である。
【００５１】
図６に示すシステム管理テーブルは、ウェアラブル端末として、Ｎｏ．１からＮｏ．３までの３つのウェアラブル端末１００が示されている。ウェアラブル端末１００のＮｏ．１からＮｏ．３のそれぞれには、アドレス情報と、サーバ情報と、無線ＬＡＮ情報が設定されている。
【００５２】
また、グループ情報は、ユーザ識別情報とサーバ識別子とにより、ウェアラブル端末１００を使用するユーザがどの作業グループに属しているか、という作業グループを示している。
【００５３】
図６を参照すると、例えば、Ｎｏ．１とＮｏ．２のユーザは、同一の「５５５」という作業グループに属していることを示している。一方、Ｎｏ．３は、「７７７」という作業グループに属していることを示している。
【００５４】
なお、本実施の形態では、個人認証を行う個人認証プログラムやユーザの属するグループを特定するグループ特定プログラムは、ＲＯＭ２０６に格納されている。ＣＰＵ２０５は、ＲＯＭ２０６からこれらのプログラムをＲＡＭ２０７に読み出して、ＲＡＭ２０７で実行することにより、各種機能を実現することができる。
【００５５】
また、本実施の形態における各種の構成要素は、その機能を実現するように形成されていればよい。例えば、所定の機能を発揮する専用のハードウェア、所定の機能がコンピュータプログラムにより付与された携帯型サーバ、コンピュータプログラムにより携帯型サーバに実現された所定の機能、これらの任意の組み合わせ、等として実現することができる。
【００５６】
また、本実施形態の各種の構成要素は、個々に独立した存在である必要はない。つまり、複数の構成要素が一個のデバイスとして形成されていること、一つの構成要素が複数のデバイスで形成されていること、ある構成要素が他の構成要素の一部であること、ある構成要素の一部と他の構成要素の一部とが重複していること、等でもよい。
【００５７】
次に、本実施の形態に係るモバイルサーバ通信システム５００の全体動作について、図面を用いて説明する。
【００５８】
図７は、本実施の形態に係るモバイルサーバ通信システム５００の全体動作を示したシーケンス図である。
【００５９】
モバイルサーバ通信システム５００のシーケンス図において、ユーザによって電源が投入されると、ウェアラブル端末１００は、まず識別情報取得部１１０によって社員証や指紋などのユーザ識別情報を取得する。そして、ウェアラブル端末１００は、サーバ識別子格納部１２０からサーバ識別子を読み出して、ユーザ識別情報とサーバ識別子とを識別情報送信部１３０に送信する。
【００６０】
識別情報送信部１３０は、所定条件によってサーバ識別子とユーザ識別情報とを管理サーバ２００に向けて送信する（ステップＳ０１０）。
【００６１】
このように、ウェアラブル端末１００は、管理サーバ２００に向けて、ユーザ識別情報とサーバ識別子とを送信することにより監視要求を送信することができる。
【００６２】
ここで、所定条件とは、識別情報取得部１１０がユーザ識別情報を取得した場合であれば、いつでも識別情報送信部１３０がサーバ識別子とユーザ識別情報とを送信してもよく、また定期的にサーバ識別子とユーザ識別情報とを送信してもよい。なお定期的とは、１分間隔や、３分間隔、或いは１０分間隔などであってもよい。
【００６３】
具体的には、識別情報取得部１１０は、赤外線通信部１０８（図４）を用いて、ユーザの社員証を読み取る。そして、識別情報送信部１３０は、モバイル通信インターフェース部１０１や無線／有線ＬＡＮインターフェース部１０２により、社員証のユーザ識別情報とサーバ識別子とを管理サーバ２００に送信する。
【００６４】
一方、情報受信部２１０は、識別情報送信部１３０からユーザ識別情報とサーバ識別子とを受信すると、ユーザ識別情報を抽出し、個人認証部２２０へ送信する。個人認証部２２０は、ユーザ識別子を受信すると、そのユーザ識別子が個人認証データベース（図示せず）に登録されているか否か認証を行う。
【００６５】
個人認証部２２０は、受信したユーザ識別情報が登録されていると判断した場合には、そのユーザ識別情報をグループ特定部２３０に送信する。グループ特定部２３０は、受信したユーザ識別情報を基に、システム管理データベース２０８を参照し、ユーザ識別情報を有するユーザがどの作業グループに属するか判断する。
【００６６】
ここで、例えば、社員証によるユーザ識別子によって個人認証がなされたユーザが、サーバ識別子としてシリアルＩＤ「ＳＮ０００ＡＡＡ」であるＮｏ．１のウェアラブル端末１００を有していたとする。この場合、Ｎｏ．１のウェアラブル端末１００は、社員証によるユーザ識別子と、シリアルＩＤ「ＳＮ０００ＡＡＡ」のサーバ識別子とが管理サーバ２００に送信することができる。
【００６７】
そして、ユーザは、個人認証部２２０において、社員証によるユーザ識別子を用いた認証がなされた後、グループ特定部２３０において、そのユーザが作業グループ「５５５」に属していることが特定される。
【００６８】
情報送信部２４０は、作業グループの属性が設定された設定情報をウェアラブル端末１００の設定情報受信部１４０に送信する（ステップＳ０２０）。これにより、管理サーバ２００は、ウェアラブル端末１００に設定情報の通知を行うことができる。
【００６９】
設定情報受信部１４０は、設定情報を受信すると、受信した設定情報を通信開始部１５０に送信する。通信開始部１５０は、受信した設定情報に基づいて、ユーザ識別情報が属する作業グループと通信を開始することにより、その作業グループに属する他のウェアラブル端末１００と、音声配信サーバを経由して通信を開始することができる。
【００７０】
例えば、通信開始部１５０は、受信された設定情報に基づいて、作業グループ内の他のモバイルサーバとの音声通話を管轄する音声配信サーバと、通信を開始することができる。また、例えば、通信開始部１５０は、受信された設定情報に基づいて、カメラ機能部１０４（図４）によって取得する映像の映像配信を管轄する映像配信サーバ（図示せず）と、通信を開始することもできる。
【００７１】
また、通信開始部１５０は、音声配信プロトコルによって、ウェアラブル端末１００が属する作業グループと同一の作業グループに属するウェアラブル端末と、音声通話を管轄する音声配信サーバを経由して通信を開始することができる。または、通信開始部１５０は、映像配信プロトコルによって、映像配信を管轄する映像配信サーバを経由して通信を開始することができる。
【００７２】
具体的には、ユーザ識別子により個人認証したユーザが、シリアルＩＤ「ＳＮ０００ＡＡＡ」であるＮｏ．１のウェアラブル端末１００を有し、作業グループ「５５５」に属していたとする（図６）。この場合、通信開始部１５０は、同一の作業グループであるグループ「５５５」に属するシリアルＩＤ「ＳＮ０００ＢＢＢ」であるＮｏ．２のウェアラブル端末と通信を開始することができる。
【００７３】
これにより、シリアルＩＤが「ＳＮ０００ＡＡＡ」であるＮｏ．１のウェアラブル端末１００と、シリアルＩＤが「ＳＮ０００ＢＢＢ」であるＮｏ．２のウェアラブル端末は、同一の作業グループ「５５５」に属し、両者はいつでも音声配信サーバを経由して通話を開始することができる。
【００７４】
また、識別情報送信部１３０は、定期的にサーバ識別子とユーザ識別情報とを管理サーバに送信している（ステップＳ０３０）。なお、これを定期監視要求という。これにより、情報受信部２１０は、定期的にサーバ識別子とユーザ識別情報とを受信する。したがって、個人認証部２２０は、定期的に個人認証を行うことができるので、ユーザ識別情報の同一性を確保することができる。
【００７５】
また、個人認証部２２０によって個人認証が行われると、その都度、グループ特定部２３０において継続的にそのユーザの属する作業グループが特定されるので、情報送信部２４０は、そのユーザが属する作業グループの設定情報を送信する。
【００７６】
これにより、設定情報受信部１４０は、定期的に設定情報を受信することができるので、継続的な監視応答を受信することができる（ステップＳ０４０）。
【００７７】
なお、ステップＳ０３０において、識別情報送信部１３０が定期的にサーバ識別子とユーザ識別情報とを送信する際、識別情報取得部１１０によって改めてユーザ識別情報を取得する必要はない。なぜなら、一度、個人認証部２２０においてユーザ個人が認証されており、そのウェアラブル端末１００が継続して使用されているからである。
【００７８】
これに対し、ウェアラブル端末１００を使用するユーザが変更された場合には、識別情報取得部１１０においてユーザ識別子を取得することが必要となる。
【００７９】
すなわち、開始されたユーザが他のユーザと交代する場合には、交代される他のユーザのユーザ識別情報とサーバ識別情報とを管理サーバに送信する。
【００８０】
これにより、管理サーバ２００は、交代されたユーザのユーザ識別情報とサーバ識別子とを取得することができるので、交代されたユーザの個人認証を行うことができ、交代されたユーザの作業グループを特定することができる。
【００８１】
また、本実施の形態では、管理サーバ２００は、システム管理データベース２０８を有している。管理サーバ２００は、システム管理データベース２０８に設定された作業グループを変更することができる。これにより、管理サーバ２００は、動的にユーザの作業グループを変更することができる。
【００８２】
管理サーバ２００は、システム管理テーブルの作業グループが変更されると、変更された作業グループの情報を、情報送信部２４０が更新された設定情報として設定情報受信部１４０に送信する（ステップＳ０５０）。なお、これを設定情報通知という。
【００８３】
これにより、ウェアラブル端末１００は、設定情報受信部１４０において更新された設定情報を受信すると、更新された設定情報に基づいて、更新された作業グループに属するとともに、更新された作業グループと通信を開始することができる。
【００８４】
具体的には、シリアルＩＤが「ＳＮ０００ＡＡＡ」であるＮｏ．１のウェアラブル端末１００は、作業グループ「５５５」に属している。また、シリアルＩＤが「ＳＮ０００ＢＢＢ」であるＮｏ．２のウェアラブル端末も、同一の作業グループ「５５５」に属している。一方、シリアルＩＤが「ＳＮ０００ＣＣＣ」であるＮｏ．３のウェアラブル端末は、作業グループ「７７７」に属している。
【００８５】
そのため、Ｎｏ．１のウェアラブル端末とＮｏ．２のウェアラブル端末は、同一の作業グループ「５５５」に属しているので、相互に通信を開始することができ、ＳＩＰプロトコルを用いて通話を行うことができる。これに対し、Ｎｏ．３のウェアラブル端末は、作業グループが「７７７」であるので、Ｎｏ．１のウェアラブル端末およびＮｏ．２のウェアラブル端末と通信を開始することができない。
【００８６】
そこで、管理サーバ２００は、システム管理データベース２０８に格納されたシステム管理テーブルの作業グループを変更することにより、各ウェアラブル端末の作業グループを変更することができる。
【００８７】
例えば、管理サーバ２００は、システム管理テーブルに記載されたＮｏ．１のウェアラブル端末１００の作業グループ「５５５」を「７７７」に変更する。これにより、管理サーバ２００は、Ｎｏ．１のウェアラブル端末１００の属する作業グループを作業グループ「７７７」に属するように変更することができる。
【００８８】
このように、Ｎｏ．１のウェアラブル端末１００は、作業グループ「７７７」に属することができるので、Ｎｏ．３のウェアラブル端末と通信を開始することができる。
【００８９】
また、Ｎｏ．３のウェアラブル端末の作業グループ「７７７」を「５５５」に変更することにより、Ｎｏ．３のウェアラブル端末は、Ｎｏ．１またはＮｏ．２のウェアラブル端末と通信を開始することができる。
【００９０】
また、ウェアラブル端末１００は、電源をＯＦＦにすると、電源がＯＦＦになったことを示す電源ＯＦＦ通知を管理サーバ２００に行い、ウェアラブル端末１００と管理サーバ２００との通信を終了する（ステップＳ０６０）。
【００９１】
以上説明したように本実施の形態によれば、ウェアラブル端末１００は、識別情報取得部１１０によってユーザ識別情報を取得し、サーバ識別子格納部１２０からサーバ識別子を読み出し、ユーザ識別情報とサーバ識別子とを識別情報送信部１３０に送信する。また、設定情報受信部１４０は、設定情報を受信すると、受信した設定情報を通信開始部１５０に送信する。通信開始部１５０は、受信した設定情報に基づいて、ユーザ識別情報が属する作業グループと通信を開始することにより、その作業グループに属する他のウェアラブル端末と通信を開始することができる。
【００９２】
これにより、モバイルサーバ通信システム５００は、ネットワークへの再接続を容易に行うとともに、複数のグループに区分された複数のユーザそれぞれを、自己の属する作業グループに容易に属させることができる。
【００９３】
以上、図面を参照して本発明の実施形態について述べたが、これらは本発明の例示であり、上記以外の様々な構成を採用することもできる。
【００９４】
例えば、本実施の形態では、ウェアラブル端末１００は、カメラ機能部１０４（図４）を備えている。したがって、ウェアラブル端末１００は、モバイル通信インターフェース部１０１または無線／有線ＬＡＮインターフェース部１０２を介して、カメラ機能部１０４によって取得する映像データを管理サーバ２００や映像管理サーバに映像配信することができる。
【００９５】
一方、管理サーバ２００は、データ格納部２０３（図５）を備えている。したがって、管理サーバ２００は、ウェアラブル端末１００から配信される映像配信を受信し、データ格納部２０３に格納することができる。
【００９６】
これにより、管理サーバ２００は、ネットワークインターフェース部２０４を介して、他の管理サーバや他の情報処理装置にデータ格納部２０３に格納された映像データを提供することができる。
【００９７】
この場合、例えば、現場作業の実習としてウェアラブル端末１００を用いることにより、熟練者の処理動作を管理サーバ２００に蓄積することができる。また、新人教育としてウェアラブル端末１００を用いることにより、新人の処理動作をデータ格納部２０３に格納することができる。さらに熟練者がネットワークインターフェース部２０４に接続された情報処理装置を閲覧することにより、遠隔指示を行うこともできる。
【００９８】
また、本実施の形態では、ウェアラブル端末１００は、位置情報測位部１０３（図４）を備えていた。したがって、ウェアラブル端末１００は、ウェアラブル端末１００の現在位置情報をユーザの現在位置情報として管理サーバ２００に送信するとともに、カメラ機能部１０４によって取得する映像データを管理サーバ２００に送信することができる。
【００９９】
また、本実施の形態では、ウェアラブル端末１００は、ヘルメット型のモバイルサーバによって形成されていたが、本実施の形態はこれに限定されるものではなく、ユーザの衣服や身体の周囲に付帯される形態や移動体に搭載される形態であっても良い。
【図面の簡単な説明】
【０１００】
【図１】本実施の形態に係るウェアラブル端末の機能を模式的に示した機能ブロック図である。
【図２】本実施の形態に係るモバイルサーバ通信システムの構成を模式的に示した概略構成図である。
【図３】本実施の形態に係る管理サーバの機能を模式的に示した機能ブロック図である。
【図４】本実施の形態に係るウェアラブル端末の物理的な機能を模式的に示したハードウェアブロック図である。
【図５】本実施の形態に係る管理サーバの物理的な機能を模式的に示したハードウェアブロック図である。
【図６】本実施の形態に係るシステム管理データベースに格納されたシステム管理テーブルの一例を示した図である。
【図７】本実施の形態に係るモバイルサーバ通信システムの動作を示したシーケンス図の一例を示した図である。
【符号の説明】
【０１０１】
１００    ウェアラブル端末
１０１    モバイル通信インターフェース部
１０２    無線／有線ＬＡＮインターフェース部
１０３    位置情報測位部
１０４    カメラ機能部
１０５    ＣＰＵ
１０６    ＲＯＭ
１０７    ＲＡＭ
１０８    赤外線通信部
１０９    バス
１１０    識別情報取得部
１２０    サーバ識別子格納部
１３０    識別情報送信部
１４０    設定情報受信部
１５０    通信開始部
１６０    現在位置測位部
１７０    位置情報送信部
１９０    音声機能部
２００    管理サーバ
２０３    データ格納部
２０４    ネットワークインターフェース部
２０５    ＣＰＵ
２０６    ＲＯＭ
２０７    ＲＡＭ
２０８    システム管理データベース
２０９    バス
２１０    情報受信部
２２０    個人認証部
２３０    グループ特定部
２４０    情報送信部
２５０    位置情報受信部
２６０    位置情報出力部
３００    ネットワーク
５００    モバイルサーバ通信システム
【図１】
2010157845.tif 000003
【図２】
2010157845.tif 000004
【図３】
2010157845.tif 000005
【図４】
2010157845.tif 000006
【図５】
2010157845.tif 000007
【図６】
2010157845.tif 000008
【図７】
2010157845.tif 000009